(57)【要約】      （修正有）【課題】色が多様変化の装飾光を出すことができ、さらに構造が簡単で体積が小さく、使用上も安全かつ維持コストも安い多色の光ファイバー装飾品を提供する。【解決手段】上記の多色の光ファイバー装飾品は、底座１と前記の底座上部の開口処に設置された光ファイバー装飾物２を含み、前記底座内で前記光ファイバー装飾物に多色の光源を提供するのにある発光素子が設置されており、前記発光素子は、回路制御板３、前記回路制御板に設置されて多彩な色を出すことができる複数の発光ダイオード（ＬＥＤ）４と、バッテリー６を含み、前記光ファイバー装飾物には、光ファイバー８を設置しており、前記光ファイバーの一端は、前記底座の上部開口処にあって前記発光素子に向かっており、その他の一端は、前記光ファイバー装飾物の表面に付けており、しかも前記底座上で前記発光ダイオードの操作を制御することに使われる機能選択のスイッチが設けてある。【選択図】図１
0003147768.tif 000002
【実用新案登録請求の範囲】
【請求項１】
多色の光ファイバー装飾品であって、前記多色の光ファイバー装飾品は、
底座(1)と前記底座(1)の上部の開口処(１ａ）に設置された光ファイバー装飾物(2)を含み、
前記底座(1)内で前記光ファイバー装飾物(2)に多色の光源を提供するための発光素子（A）が設置されており、
前記発光素子（A）は、回路制御板(3)、前記回路制御板(3)に設置されてある多彩な色を出すことができる複数の発光ダイオード(4)と、バッテリー(6)を含み、
前記光ファイバー装飾物(2)には、光ファイバー(8)を設置しており、前記底座(1)の上部開口処（１a）に設置された前記光ファイバー(8)の一端は、前記発光素子（A）に面し、前記光ファイバー(8)の他の一端は、前記光ファイバー装飾物(2)の表面に分布しており、しかも前記底座(1)上で前記発光ダイオード（4） の操作を制御することに使われる機能選択のスイッチ(５)が設けられてあることを特徴とする多色の光ファイバー装飾品。
【請求項２】
前記回路制御板(3)は、板体（31）及び前記板体（31）に設置された発光ダイオード(4)の制御回路を含み、前記発光ダイオード（4）の制御回路は、発光ダイオード（4）の出力制御チップU1、電気抵抗（R１、R２、R３）及び内部発振器（B）を含み、前記出力制御チップU1は、複数の発光ダイオード（LED）の出力制御ポート（BL、DL、RL）と、機能選択入力ポート（K1、K2、K3）を備えており、その一つの機能選択入力ポートは、ON（開）/OFF（閉）制御ポートであって、他の機能選択入力ポートは、機能選択ポートであって、前記内部発振器（B）の入力ポートと出力ポートの間に発光ダイオード（LED）（4）の変化速度を変えるための電気抵抗（R４）を連結することを特徴とする、請求項１に記載の多色の光ファイバー装飾品。
【請求項３】
前記回路制御板(3)は、発声器具(BEEP）と前記発声器具(BEEP）の発声を制御することに使われる制御回路を設けてあることを特徴とする、請求項１に記載の多色の光ファイバー装飾品。
【請求項４】
前記機能選択のスイッチ(5)は、電源電池の負極と接続している公共ポート（０′）、電気回路が異なる状態を呈するポート（１′）と、電気回路が輝く光ばかりを出す状態を呈するポート（２′）と、電気回路が輝く光と声を出す状態を呈するポート（３′）を含むことを特徴とする、請求項１乃至請求項３のいずれかに記載の多色の光ファイバー装飾品。
【請求項５】
前記ファイバー装飾物(2)は、人造クリスマス・ツリーであって、当該クリスマス・ツリーは、光ファイバー(8)と、外部にプラスチックなクリスマス・ツリーの葉を巻き付けるクリスマス・ツリーの枝葉（２１）を使用して組み合われることを特徴とする、請求項１に記載の多色の光ファイバー装飾品。
【考案の詳細な説明】
【技術分野】
【０００１】
本考案は、装飾品に関し、特に、色が変わることができる多色の光ファイバー装飾品に関するものである。
【背景技術】
【０００２】
現在、一般の光ファイバー装飾品は、交流電源を採用することで電力を供給しており、多彩な光源は、発光した電球から透光が回転できる色彩盤で装飾品にある光ファイバーに転送されており、それによって、色が変化できる多色の光ファイバー装飾品を形成することである。しかしながら、現有の光ファイバー装飾品は、その構造がほとんど複雑で、体型が大きくて、コストが高くて、使用上が不安全な欠点等を存在して、しかも、装飾品内に設置された電球は、その使用寿命が有限であって、更に電球の維護がよく必要として、その維護コストも高い等問題を起こすため、広大な消費者の需要を満たしにくくなってくる。
【考案の開示】
【考案が解決しようとする課題】
【０００３】
本考案の主な目的は、上述の存在の問題と不足に対応することにあって、色が多様変化の装飾光を出すことができることを提供して、同時に、更にその構造が簡単で、体積が小さくて、使用上にも安全で、維護のコストが低くとなる多彩な光ファイバーの装飾品でを提供することにある。
【課題を解決するための手段】
【０００４】
本考案の多色の光ファイバー装飾品は、底座と前記の底座上部の開口処に設置された光ファイバー装飾物を含み、前記底座内で前記光ファイバー装飾物に多色の光源を提供するのにある発光素子が設置されており、前記発光素子は、回路制御板、前記回路制御板に設置されて多彩な色を出すことができる複数の発光ダイオードと、バッテリーを含み、前記光ファイバー装飾物には、光ファイバーを設置しており、前記光ファイバーの一端は、前記底座の上部開口処にあって前記発光素子に向かっており、その他の一端は、前記光ファイバー装飾物の表面に付けており、しかも前記底座上で前記発光ダイオードの操作を制御することに使われる機能選択のスイッチが設けられてあることを特徴とする。
【０００５】
更に本考案の使用上にある装飾と娯楽の効果を強めるために、前記回路制御板は、発声器具と前記発声器具の発声を制御することに使われる制御回路を設けてある。
【０００６】
（考案の効果）
本考案は、回路制御板と、前記回路制御板に設置されて多彩な色を出すことができる複数の発光ダイオードと、バッテリーで構成されてあった発光素子及び前記底座上で前記発光ダイオードの操作を制御することに使われる機能選択のスイッチである構造を採用するため、本考案の使用過程に、直接に前記回路制御板を通って並びに機能選択のスイッチを制御することで、発光ダイオードを多種の色の光と変化多彩の光に生ませており、そして光ファイバー装飾物に設置されてある光ファイバーを通って、色彩な光を導き出して良好な装飾効果を実現しており、底座に回転できる色彩盤を設ける必要がないため、その構造が簡単で、体積が小さくて、携帯と放置が便利で、生産コストも低いようになる。更に、発光体は、電気消費量が低く使用寿命が長い発光ダイオードを採用するため、多色の光ファイバー装飾品の寿命が延びることができて、維護のコストをいっそう下げる。同時にその電源においてバッテリを採用するため、使用上に安全で便利です。また、本考案は、回路制御板に設置されてある発声器具と前記発声器具の発声を制御することに使われる制御回路である構造を採用しており、それによって、人々に音と光が融合した楽しみを提供させて、そして、装飾品がお祝いの効果を加える。本考案は、その構造が簡単で、体積が小さくて、装飾効果が強いから、広くて各種の室内と室外などの場所の装飾に応用することができる。
【考案を実施するための最良の形態】
【０００７】
以下、本考案の実施の形態を図面に基づいて説明する。
図１乃至図に示すように、本考案による多色の光ファイバー装飾品は、底座１と前記の底座１上部の開口処１aに設置された光ファイバー装飾物２を含み、前記底座１内で前記光ファイバー装飾物２に多色の光源を提供するのにある発光素子Aが設置されており、本考案を結構が簡単で、体積が小さくて、そして使用が安全と便利とさせるために、前記発光素子Aは、回路制御板３、前記回路制御板３に設置されて多彩な色を出すことができる複数の発光ダイオード４と、バッテリー６を含み、前記光ファイバー装飾物２には、光ファイバー８を設置しており、前記光ファイバー８の一端は、前記底座１の上部開口処１aにあって前記発光素子Aにある発光ダイオード４に向かっており、その他の一端は、前記光ファイバー装飾物２の表面に付けており、しかも前記底座１上で前記発光ダイオードの操作を制御することに使われる機能選択のスイッチ５が設けられており、従って、本考案の使用過程に、直接に前記回路制御板３を通って並びに機能選択のスイッチ５を制御する作用で、発光ダイオード４を多種の色の光と変化多彩の光に生ませており、そして光ファイバー装飾物２に設置されてある光ファイバー８を通って、色彩な光を導き出して良好な装飾効果を実現しており、底座１に回転できる色彩盤を設ける必要がないため、その構造が簡単で、体積が小さくて、携帯と放置が便利で、生産コストも低いようになる。更に、発光体は、電気消費量が低く使用寿命が長い発光ダイオード４を採用するため、多色の光ファイバー装飾品の寿命が延びることができて、維護のコストをいっそう下げる。同時にその電源においてバッテリ６を採用するため、使用上に安全で便利です。
【０００８】
その中に、前記底座１は、ハウジング及び前記ハウジング内に設置されて便利でバッテリー６を取り付けるまた取り外すことに使われた電池ケースを含む。図１及び図２に示すように、前記回路制御板３は、板体３１及び前記板体３１に設置された発光ダイオードの制御回路を含み、前記発光ダイオードの制御回路は、発光ダイオードの出力制御チップU1を含み、U1のモデル番号は、MX-09C102であって、同時に赤、緑、青等異なる色彩と輝度の変化を制御することができて、U1は、三つの発光ダイオードの出力制御ポート（ＢＬ、ＤＬ、ＲＬ）と三つの機能選択入力ポート（Ｋ１、Ｋ２、Ｋ３）を備えており、その一つの機能選択入力ポートは、ON（開）/OFF（閉）制御ポートであって、他の二つの機能選択入力ポートは、機能選択ポートであって、前記二つのポートは、これたの二つポートは、    接地しないと接地する状況があって、即ち全部で四つの組合があって、しかも内部発振器Ｂもある。前記内部発振器Ｂの入力ポートと出力ポートの間に電気抵抗Ｒ４を連結することで発光ダイオード４の変化速度を変える。
【０００９】
図２に示すように、本考案の実施例による回路制御板３は、赤発光ダイオードLED１、緑発光ダイオードLED２、青発光ダイオードLED３を設置することがあって、それらは各々Ｕ１のＲＬ、ＤＬ、ＢＬと接続しており、Ｕ１のＶＣＣは、バッテリの正極と外接しており、要求された電圧範囲は、１.５ボルトないし４.５ボルトであって、二本または三本の乾電池を外接しており、電池の電圧は、３ボルトとなる時、静態電流は５μAを超えておらず、それによって、回路が普通に作用していない状態を排除しており、Ｕ１のDSCDは、チップの内部発振器Ｂの出力脚であって、Ｕ１のOSC１は、チップの内部発振器Ｂの入力脚であって、Ｕ１のOSCDは、電気抵抗R4を介してＵ１のOSC１と接続して、Ｕ１のYSSは、バッテリの負極と外接しており、Ｕ１のRLは、発光ダイオードの制御出力脚となって、それは発光ダイオードLED１の負極と外接しており、LED１の正極は、電気抵抗R１を介して電池正極と接続しており、DLは、発光ダイオードの制御出力脚となって、LED２の負極と外接しており、LED２の正極は、電気抵抗R２を介して電池正極と接続しており、BLは、発光ダイオードの制御出力脚となって、LED３の負極と外接しており、LED３の正極は、電気抵抗R３を介して電池正極と接続しており、Ｕ１のK1は、チップのON（開）/OFF（閉）制御ポートであって、接地していない時、チップが作動していなくなって、低電力となる時、チップが作動しており、Ｕ１のK2とK3は、チップの機能選択入出力ポートを構成しており、即ちK2とK3が、接地していない時、Ｕ１の状態モードは、単色きらめきとなっており、K2が低電力と接続して同時にK3が接地していない時、Ｕ１の状態モードは、多色な光が明るくなったり暗くなったりしていることとなっており、K2が接地していなくて同時にK3が低電力と接続している時、Ｕ１の状態モードは、光が多彩変化となっており、K2とK3が、低電力と接続している時、Ｕ１の状態モードは、多彩な光がきらめきとなっており、図１、２に示すように、Ｕ１の状態モードは、多彩変化となっており、従って機能選択スイッチ５（図２にSW5を簡称する）の０′端は２′端と接続している時、Ｕ１の作動モードは、多彩変化となっており、それによって、三つの発光ダイオード（LED：Light Emitting Diode）４を組合させて多彩変化の光を起こしており、これらの光は、光ファイバー装飾物２に置かれた光ファイバー（Optical fiber）８を介して光ファイバー装飾物２の表面に伝送されており、点々散らばっていた光を起こす。
【００１０】
更に、本考案の使用上にある装飾と娯楽の効果を強めるために、前記回路制御板３は、発声器具(BEEP）と前記発声器具(BEEP）の発声を制御することに使われる制御回路を設けてある。本考案は、使用する時、前記底座１に設置された機能選択スイッチ５を通って、発光かまたは発声かを選択する。その中に、前記発声器具(BEEP）は、スビーカーBEEPとなることができて、前記制御回路は、スビーチチップＵ２であって、Ｕ２の１″は、電池の正極と外接しており、Ｕ２の２″は、制御入力端と外接しており、低電力と外接している時、チップが作動するかあるいは作動しない。Ｕ２の３″は、制御入力端であって、スビーカーを外接しており、従って、機能選択スイッチSW5の０′端は３′端と接続している時、Ｕ１のK3は、スイッチダイオードD1を通って低電力と接続して、Ｕ１の状態モードは、多彩変化となっており、同時にＵ１のK1も、スイッチダイオードD1を通って低電力と接続して、Ｕ１の状態モードは、多彩変化となっており、三つの発光ダイオードは、組合って変化多彩の光を発して、一方、Ｕ２の２″は、低電力と接続して、そしてＵ２は作動して、それによってスビーカーは声を出すことができて、Ｕ２に係る出力した声は、音楽となって、また人間の言葉等となることができて、それによって、人々に音と光が融合した楽しみを提供させて、そして、装飾品がお祝いの効果を加える。
【００１１】
更に、前記光ファイバー装飾物２の具体的なデザインは、使用者の需要によって勝手に作られて、図１に示されるように、前記ファイバー装飾物２は、人造クリスマス・ツリーとなることができて、当該クリスマス・ツリーは、光ファイバー８と、外部にプラスチックなクリスマス・ツリーの葉２１を巻き付けるクリスマス・ツリーの枝葉を使用して組み合われており、前記ファイバー装飾物２は、また人造クリスマス・リングとなることができて、当該人造クリスマス・リングは、前記光ファイバー８と、外部にプラスチックなクリスマス・ツリーの葉を巻き付けるクリスマス・ツリーの枝葉を使用して組み合われており、前記ファイバー装飾物２は、更に各種の人造花と木、人造の動物となることができる。
【００１２】
本考案は、比較的に小さい規格にすることができ、例えば、高さが３０センチを超えていないファイバークリスマス・ツリー、花等の祝日用品を作ることができる。本考案は、広くて各種の室内と室外等場所の装飾に応用することができる。
【００１３】
本実施例は、ただ一つの変化多彩の電子クリスマス・ツリーを詳細に説明したが、本考案はこれらの内容に限定されるものではない。本考案の説明に参照して、もう公開された実施例の他の変化は、本考案の技術的思想の範囲内で考えられるその他の態様も本考案の範囲内に含まれる。
【図面の簡単な説明】
【００１４】
【図１】本考案の実施例に係る構造を示す図である。
【図２】図１の回路原理を示す図である。
【符号の説明】
【００１５】
１底座
２光ファイバー装飾物
３回路制御板
４発光ダイオード（LED：Light Emitting Diode）
５機能選択のスイッチ
６バッテリー
８光ファイバー（Optical fiber）
LED1、LED2、LED3  発光ダイオード
R1、R2、R3  電気抵抗
BL、DL、RL  出力制御ポート
K1、K2、K3  機能選択入力ポート
D1  スイッチダイオード
SW  機能選択スイッチ
BEEP  発声器具
DSCD  チップの内部発振器Ｂの出力脚
【図１】
0003147768.tif 000003
【図２】
0003147768.tif 000004